(57)【要約】【課題】ＤＪの仕込み作業時およびパフォーマンス時における楽曲のコメント付加および検索を効率的に行うことが可能な検索装置、検索装置の制御方法およびプログラムを提供する。【解決手段】本発明のＤＪシステムを構成するＰＣ１は、楽曲に付加するタグをカテゴリ別に作成可能なマイタグウィンドウ４４と、複数の楽曲について、各楽曲に付加されたタグを含むコンテンツ情報を一覧形式で表示するトラックリスト表示部４５と、マイタグウィンドウ４４で作成されたタグの一覧をカテゴリ別に表示するマイタグカラムフィルター４６と、を同一画面上に表示する表示部１２０と、マイタグカラムフィルター４６における１以上のタグの選択結果に基づいて、楽曲の検索を行う検索部１４０と、を備えた。【選択図】図５
2015156084.tif 000002
【特許請求の範囲】
【請求項１】
コンテンツに付加するタグをカテゴリ別に作成可能な第１領域と、複数のコンテンツについて、各コンテンツに付加された前記タグを含むコンテンツ情報を一覧形式で表示する第２領域と、前記第１領域で作成されたタグの一覧をカテゴリ別に表示する第３領域と、を同一画面上に表示する表示部と、
前記第３領域における１以上のタグの選択結果に基づいて、コンテンツの検索を行う検索部と、を備えたことを特徴とする検索装置。
【請求項２】
前記第１領域は、作成したタグをカテゴリ別に一覧表示すると共に、各タグの選択／非選択が可能であり、
前記表示部は、前記第２領域で任意のコンテンツが選択された状態で、前記第１領域で任意のタグが選択状態となった場合、当該任意のコンテンツのコンテンツ情報として、当該任意のタグを追加表示することを特徴とする請求項１に記載の検索装置。
【請求項３】
前記第１領域は、テキスト入力による前記タグの作成およびカテゴリ名の編集が可能であることを特徴とする請求項２に記載の検索装置。
【請求項４】
前記第１領域は、カラー選択または画像選択による前記タグの作成が可能であることを特徴とする請求項２または３に記載の検索装置。
【請求項５】
前記表示部は、前記第２領域で複数のコンテンツが選択された状態で、前記第１領域で任意のタグが選択状態となった場合、当該複数のコンテンツ全てに、当該任意のタグを追加表示することを特徴とする請求項２ないし４のいずれか１項に記載の検索装置。
【請求項６】
前記表示部は、前記第１領域、前記第２領域および前記第３領域のいずれかにおいてタグの編集が行われた場合、その編集結果を、他の領域に反映することを特徴とする請求項１ないし５のいずれか１項に記載の検索装置。
【請求項７】
前記検索部による検索条件として、ＡＮＤ条件またはＯＲ条件を選択可能であり、
前記検索部は、前記第３領域において同一カテゴリ内で複数のタグが選択された場合、選択された前記検索条件に応じて検索を行い、前記第３領域においてカテゴリの異なる複数のタグが選択された場合、選択された前記検索条件によらずＡＮＤ条件で検索を行うことを特徴とする請求項１ないし６のいずれか１項に記載の検索装置。
【請求項８】
コンテンツに付加するタグをカテゴリ別に作成可能な第１領域と、複数のコンテンツについて、各コンテンツに付加された前記タグを含むコンテンツ情報を一覧形式で表示する第２領域と、前記第１領域で作成されたタグの一覧をカテゴリ別に表示する第３領域と、を同一画面上に表示する表示ステップと、
前記第３領域における１以上のタグの選択結果に基づいて、コンテンツの検索を行う検索ステップと、を実行することを特徴とする検索装置の制御方法。
【請求項９】
コンピューターに、請求項８に記載の検索装置の制御方法における各ステップを実行させるためのプログラム。
【発明の詳細な説明】
【技術分野】
【０００１】
本発明は、楽曲や映像などのコンテンツに付加されているタグ情報に基づいてコンテンツの検索を行う検索装置、検索装置の制御方法およびプログラムに関する。
【背景技術】
【０００２】
従来、楽曲コンテンツには、曲名、アーティスト、アルバムなどのタグ情報（ＩＤ３タグなど）が付加され、当該タグ情報を用いて絞込み検索が可能となっている（例えば、特許文献１）。
【０００３】
ところで、このようなタグ情報を用いた検索機能を利用するアプリケーションとして、ＤＪ（Disc  Jockey）のパフォーマンスに用いられるＤＪ用アプリケーションが知られている。また、ＤＪ用アプリケーションの中には、ＤＪ特有のニーズに対応すべく、コンテンツごとに任意のコメントを付加し、当該コメントを利用して検索を行う機能も知られている。この機能により、楽曲に合う場所や時間、楽曲の曲調など、ＤＪ特有の観点に基づく絞り込みが可能である。
【先行技術文献】
【特許文献】
【０００４】
【特許文献１】特開２００９−１６３４３３号公報
【発明の概要】
【発明が解決しようとする課題】
【０００５】
ところが、従来のＤＪ用アプリケーションは、任意のコメントを付加することができるものの、コメントの付加には毎回文字入力が必要になる。また、どのようなコメントを付加したかを管理することができなかった。このため、コメントの付加は非常に手間がかかる作業になり、またそのコメントで絞り込み検索を行おうとした場合に、適切なキーワードを入力できず、所望の結果を得ることができないという問題があった。また、検索時には、テキスト入力の必要があるため、検索に時間がかかるという問題もあった。特に、ＤＪのパフォーマンスは、楽曲を途切れさせることなく、且つスクラッチ操作などのエフェクト操作と並行して、現場の雰囲気に合った楽曲を選択しなければならないため、楽曲の検索に時間がかかってしまうと、パフォーマンスに大きな影響を与えてしまう。また、ＤＪは、パフォーマンス前の仕込み作業時においても、演奏する楽曲を選択するために検索機能を多用するが、その際にも、検索および検索するためのコメント付加に時間がかかってしまうと作業負担が大きくなる。
【０００６】
本発明は、上記の問題点に鑑み、ＤＪの仕込み作業時およびパフォーマンス時における楽曲のコメント付加および検索を効率的に行うことが可能な検索装置、検索装置の制御方法およびプログラムを提供することを課題とする。
【課題を解決するための手段】
【０００７】
本発明の検索装置は、コンテンツに付加するタグをカテゴリ別に作成可能な第１領域と、複数のコンテンツについて、各コンテンツに付加されたタグを含むコンテンツ情報を一覧形式で表示する第２領域と、第１領域で作成されたタグの一覧をカテゴリ別に表示する第３領域と、を同一画面上に表示する表示部と、第３領域における１以上のタグの選択結果に基づいて、コンテンツの検索を行う検索部と、を備えたことを特徴とする。
【０００８】
上記の検索装置において、第１領域は、作成したタグをカテゴリ別に一覧表示すると共に、各タグの選択／非選択が可能であり、表示部は、第２領域で任意のコンテンツが選択された状態で、第１領域で任意のタグが選択状態となった場合、当該任意のコンテンツのコンテンツ情報として、当該任意のタグを追加表示することを特徴とする。
【０００９】
上記の検索装置において、第１領域は、テキスト入力によるタグの作成およびカテゴリ名の編集が可能であることを特徴とする。
【００１０】
上記の検索装置において、第１領域は、カラー選択または画像選択によるタグの作成が可能であることを特徴とする。
【００１１】
上記の検索装置において、表示部は、第２領域で複数のコンテンツが選択された状態で、第１領域で任意のタグが選択状態となった場合、当該複数のコンテンツ全てに、当該任意のタグを追加表示することを特徴とする。
【００１２】
上記の検索装置において、表示部は、第１領域、第２領域および第３領域のいずれかにおいてタグの編集が行われた場合、その編集結果を、他の領域に反映することを特徴とする。
【００１３】
上記の検索装置において、検索部による検索条件として、ＡＮＤ条件またはＯＲ条件を選択可能であり、検索部は、第３領域において同一カテゴリ内で複数のタグが選択された場合、選択された前記検索条件に応じて検索を行い、第３領域においてカテゴリの異なる複数のタグが選択された場合、選択された検索条件によらずＡＮＤ条件で検索を行うことを特徴とする。
【００１４】
本発明の検索装置の制御方法は、コンテンツに付加するタグをカテゴリ別に作成可能な第１領域と、複数のコンテンツについて、各コンテンツに付加されたタグを含むコンテンツ情報を一覧形式で表示する第２領域と、第１領域で作成されたタグの一覧をカテゴリ別に表示する第３領域と、を同一画面上に表示する表示ステップと、第３領域における１以上のタグの選択結果に基づいて、コンテンツの検索を行う検索ステップと、を実行することを特徴とする。
【００１５】
本発明のプログラムは、コンピューターに、上記の検索装置の制御方法における各ステップを実行させることを特徴とする。
【図面の簡単な説明】
【００１６】
【図１】本発明の一実施形態に係るＤＪシステムのシステム構成図である。
【図２】ＤＪ用アプリケーションによるＧＵＩレイアウトの一例を示す図である。
【図３】マイタグカラムフィルターを用いた検索結果の表示例を示す図である。
【図４】トラックリスト表示部において複数トラックを選択した場合のマイタグウィンドウの表示例を示す図である。
【図５】ＰＣの機能構成を示すブロック図である。
【図６】変形例１に係るマイタグウィンドウの表示例を示す図である。
【図７】変形例２に係るマイタグカラムフィルターの表示例を示す図である。
【発明を実施するための形態】
【００１７】
以下、本発明の一実施形態に係る検索装置、検索装置の制御方法およびプログラムについて、添付図面を参照しながら詳細に説明する。本実施形態では、本発明の検索装置を、ＤＪシステムＳＹに適用した場合について例示する。また、コンテンツとして楽曲コンテンツ（音楽コンテンツ）を例示する。
【００１８】
図１は、本発明の一実施形態に係るＤＪシステムＳＹのシステム構成図である。ＤＪシステムＳＹは、ＤＪがパフォーマンスを行うための機器群であり、ＰＣ（Personal  Computer）１と、ＤＪコントローラー２と、これらを接続する専用回線３と、から成る。なお、専用回線３は、有線／無線のいずれであっても良い。また、ＰＣ１とＤＪコントローラー２を、ＬＡＮ等のネットワークによって接続しても良い。
【００１９】
ＰＣ１は、ディスプレイ１１、キーボード１２、マウス１３、ハードディスクドライブ１４など、一般的なコンピューターと同様のハードウェアを備えている。また、ハードディスクドライブ１４には、ＤＪ用アプリケーション５がインストールされている。このＤＪ用アプリケーション５は、現場でのパフォーマンスに用いられるだけでなく、パフォーマンス前の仕込み作業にも用いられる。本実施形態では、これらパフォーマンス時および仕込み作業時における選曲（楽曲の検索、および検索に用いるタグ情報の付加）について主に説明する。なお、仕込み作業では、ＰＣ１単体を用いる。また、仕込み作業時は、ＰＣ１のキーボード１２やマウス１３を用いて検索操作やタグ情報（以下、単に「タグ」と称する）の付加操作を行う。
【００２０】
ＤＪコントローラー２は、ＤＪ用アプリケーション５を操作するための装置であり、ジョグダイヤル２３を含む左右２つのプレーヤー部２１（２１ａ，２１ｂ）を備えている。また、装置中央には、パフォーマンス時において、検索操作を行うための検索操作部２２を備えている。
【００２１】
検索操作部２２は、ＯＮ／ＯＦＦボタン２５、セレクトボタン２６、ロータリーエンコーダー２７を含む。ＯＮ／ＯＦＦボタン２５は、ＯＮ状態にすることで、カーソル（操作位置）を、マイタグカラムフィルター４６（図２等参照）に移動させることができる。マイタグカラムフィルター４６は、検索に用いるタグを選択するための領域である。セレクトボタン２６は、このマイタグカラムフィルター４６において、検索パラメータとなるタグを選択するために用いられる。また、ロータリーエンコーダー２７は、上下左右にカーソルを移動させるために用いられる。つまり、ユーザーは、ロータリーエンコーダー２７で所望のタグの位置までカーソルを移動させ、セレクトボタン２６で選択操作を行うことにより、タグを選択状態とすることができる。また、選択状態のタグを再度セレクトボタン２６で選択すると、非選択状態に切り替えることができる。
【００２２】
なお、ＤＪコントローラー２について、その他の詳細な構成については図示を省略するが、一般的な構成（フェーダー群、ツマミ群、表示画面、入出力インターフェース群等）を備えているものとする。
【００２３】
次に、図２を参照し、パフォーマンス時および仕込み作業時において、ＰＣ１のディスプレイ１１に表示されるＧＵＩ（Graphical  User  Interface）について説明する。当該ＧＵＩは、ＤＪ用アプリケーション５の一機能として表示される。同図に示すように、ＧＵＩは、プレーヤー表示部４１およびブラウズ部４２から成る。
【００２４】
プレーヤー表示部４１は、キューボタン８１、再生／一時停止ボタン８２、第１プレーヤー表示領域８３および第２プレーヤー表示領域８４を含む。キューボタン８１は、キューポイントの設定に用いられる。再生／一時停止ボタン８２は、再生中の楽曲を再生または一時停止するために用いられる。第１プレーヤー表示領域８３は、再生中の楽曲の時間表示、ＢＰＭ（Beats  Per  Minute）、全体波形などを表示する。また、第２プレーヤー表示領域８４は、再生中の楽曲の拡大波形、拍位置（ビートグリッド）などを表示する。
【００２５】
一方、ブラウズ部４２は、フォルダ表示部４３、マイタグウィンドウ４４（第１領域）、トラックリスト表示部４５（第２領域）およびマイタグカラムフィルター４６（第３領域）から成る。フォルダ表示部４３は、ＰＣ１内にある楽曲ファイルを解析してＤＪ用アプリケーション５に登録した楽曲コレクション、過去に作成したプレイリスト、読み出し可能な記憶デバイス等をツリー形式で表示する。トラックリスト表示部４５は、このフォルダ表示部４３から選択した楽曲群（トラックリスト）を表示可能となっている。
【００２６】
マイタグウィンドウ４４は、タグを作成するための領域であり、１以上のカテゴリ別領域５０（同図の例では、５０ａ，５０ｂ，５０ｃの３つ）を含む。ここでは、ユーザーが作成したオリジナルのカテゴリで、楽曲をイメージし易いオリジナルのタグ（例えば、「定番曲」、「ＳＥ」、「明け方」、「深夜」など）を作成可能である。
【００２７】
各カテゴリ別領域５０は、カテゴリ名領域５１、タグ領域５２およびタグ追加ボタン５３から成る。カテゴリ名領域５１およびタグ領域５２は、キーボード１２等により、それぞれ任意のカテゴリ名およびタグ名をテキスト入力可能となっている。また、各タグには、選択／非選択を切り替えるためのチェックボックスが付加されている。選択状態のチェックボックスには、チェックマークが表示される。
【００２８】
タグ追加ボタン５３は、その押下によって新規のタグを追加可能となっている。なお、マイタグウィンドウ４４でタグが追加・修正された場合は、それらの編集結果がマイタグカラムフィルター４６に反映される。また、タグ領域５２で任意のタグが選択されると、トラックリスト表示部４５にて選択されているトラック（図示、網掛け領域参照）に、そのタグが付加される。
【００２９】
トラックリスト表示部４５は、ＤＪ用アプリケーション５に登録された楽曲解析済みの楽曲（トラック）の一覧を表示する。同図に示すように、トラックリスト表示部４５は、各楽曲に関連するコンテンツ情報を一行で表し、且つ各コンテンツ情報を列方向に列記している。また、各コンテンツ情報は、タイトル名など予め設定された項目を表示する設定項目表示部６３と、マイタグウィンドウ４４により作成・付加されたタグ（以下、「マイタグ」と称する）を表示するマイタグコラム６４と、を含む。
【００３０】
マイタグコラム６４では、マイタグウィンドウ４４で複数のタグが付加された場合、そのタグ間を、スラッシュ（「／」）で区切って表示する。また、タグの表示順序は、マイタグウィンドウ４４の並び順（カテゴリ順）に従う。なお、１つの楽曲に対し、同じカテゴリ内で複数のタグを付加することも可能であり、その場合もタグ間はスラッシュで区切られる（同図の例の場合、「タグＡ／タグＢ」など）。
【００３１】
また、同図は、選択状態のトラック（曲Ａ）について、マイタグウィンドウ４４におけるタグの選択操作により、「タグＡ」と「タグＢ」が付加された状態を示している。また、特に図示しないが、複数のトラックが選択された状態で、マイタグウィンドウ４４において任意のタグが選択された場合、その任意のタグは、選択された複数のトラックのマイタグとして追加される。
【００３２】
なお、設定項目表示部６３には、タイトル名の他、アルバム名、アーティスト名、楽曲解析結果（ＢＰＭ、キーなど）、アートワーク（アルバムジャケットの画像等）、楽曲波形を表示しても良い。また、コンテンツ情報として、設定項目表示部６３やマイタグコラム６４に表示した情報以外に、ユーザーが任意に作成・付加したコメントを表示しても良い。この場合、マイタグウィンドウ４４で選択されたタグを、マイタグコラム６４に追加するだけでなくコメントにも反映しても良い。
【００３３】
マイタグカラムフィルター４６は、上記のとおり検索に用いるタグを選択するための領域であり、１以上のカテゴリ別領域７０（同図の例では、７０ａ，７０ｂ，７０ｃの３つ）、ＡＮＤ検索ボタン７３およびＯＲ検索ボタン７４を含む。ＡＮＤ検索ボタン７３およびＯＲ検索ボタン７４は、いずれか一方を選択可能であり、ＡＮＤ検索ボタン７３が選択されると、ＡＮＤ条件で絞り込み検索を行う。また、ＯＲ検索ボタン７４が選択されると、ＯＲ条件で絞り込み検索を行う。
【００３４】
一方、各カテゴリ別領域７０は、カテゴリ名領域７１およびタグ領域７２から成る。これら各カテゴリ別領域７０（カテゴリ名領域７１およびタグ領域７２）の情報は、マイタグウィンドウ４４の各カテゴリ別領域５０（カテゴリ名領域５１およびタグ領域５２）に対応している（同じ内容となっている）。また、タグ領域７２に含まれる各タグは、選択／非選択の切り替えが可能であり、網掛け表示または反転表示等により選択状態であるか否かを区別できるようになっている。
【００３５】
マイタグカラムフィルター４６では、１以上のタグが選択された状態で、ＡＮＤ検索ボタン７３またはＯＲ検索ボタン７４が選択されることにより、選択されたタグと検索条件に基づいて、検索を実行する。また、検索結果が得られた後（ＡＮＤ検索ボタン７３またはＯＲ検索ボタン７４が選択された状態で）、さらにタグが追加選択されると、追加されたタグを考慮して再検索を行う。
【００３６】
なお、マイタグカラムフィルター４６により選択されたタグによる絞り込み検索の検索対象は、トラックリスト表示部４５のトラックリストである（トラック数が多い場合、非表示となるトラックが存在するが、トラックリスト表示部４５に表示されているか否かは問わない）。また、検索結果は、トラックリスト表示部４５に表示する。例えば、図２の状態から、図３に示すように、「カテゴリ１」の「タグＡ」と「カテゴリ１」の「タグＢ」が選択され（図示、網掛け領域参照）、且つマイタグカラムフィルター４６でＡＮＤ検索ボタン７３が選択された場合、トラックリスト表示部４５に表示されているトラックリスト（図２の例の場合、「曲Ａ」，「曲Ｂ」，「曲Ｃ」）の中から、マイタグとして「タグＡ」および「タグＢ」を含むトラック（「曲Ａ」）を抽出する。
【００３７】
なお、マイタグウィンドウ４４、マイタグコラム６４、マイタグカラムフィルター４６のタグ情報は、常に同期される。例えば、マイタグカラムフィルター４６では、カテゴリ名領域７１およびタグ領域７２の編集（カテゴリ名の修正、タグの修正および削除）を行うことが可能であり、その編集結果が、マイタグウィンドウ４４およびマイタグコラム６４に反映される。
【００３８】
また、マイタグコラム６４において、タグの修正および削除を行うことも可能であり、その編集結果が、マイタグウィンドウ４４およびマイタグカラムフィルター４６に反映される。さらに、マイタグウィンドウ４４でタグが修正および削除された場合は、そのタグを含むトラックリスト表示部４５内の全てのトラックに、その編集結果が反映される。
【００３９】
また、マイタグウィンドウ４４では、カテゴリ別領域５０の並び順、およびカテゴリ別領域５０内のタグの並び順を変更可能となっており、その変更も、マイタグコラム６４およびマイタグカラムフィルター４６に反映される。
【００４０】
また、図４に示すように、トラックリスト表示部４５で複数のトラックが選択されると（図示、網掛け領域参照）、選択された全てのトラックに共通するマイタグについては、マイタグウィンドウ４４において、タグのチェックボックスを選択状態とする（同図の例では、「タグＢ」）。なお、選択されたトラックに含まれるその他のタグ（同図の例では、「タグＡ」、「タグＣ」、「タグＤ」）については、マイタグウィンドウ４４において選択状態とはならないが、表示上未チェックになるだけであり、それらのタグがマイタグコラム６４において非表示となる（楽曲のコンテンツ情報から除外される）訳ではない。
【００４１】
次に、図５を参照し、ＰＣ１の機能構成について説明する。ＰＣ１は、主な機能構成として、表示制御部１１０、表示部１２０、操作部１３０、検索部１４０および記憶部１５０を備えている。なお、これら各部は、いずれもＤＪ用アプリケーション５によって実現される。
【００４２】
表示制御部１１０は、表示部１２０の表示制御を行う。表示部１２０は、図２に示したとおり、楽曲に付加するタグをカテゴリ別に作成可能なマイタグウィンドウ４４と、複数の楽曲について、各楽曲に付加されたタグを含むコンテンツ情報を一覧形式で表示するトラックリスト表示部４５と、マイタグウィンドウ４４で作成されたタグの一覧をカテゴリ別に表示するマイタグカラムフィルター４６と、を同一画面上に表示する。
【００４３】
操作部１３０は、キーボード１２、マウス１３、ＤＪコントローラー２の検索操作部２２を用いて、タグの選択、追加、修正、削除など、各種操作を行う。検索部１４０は、マイタグカラムフィルター４６における１以上のタグの選択結果に基づいて、楽曲の検索を行う。なお、検索部１４０による検索条件としては、ＡＮＤ条件またはＯＲ条件を選択可能である（ＡＮＤ検索ボタン７３とＯＲ検索ボタン７４）。但し、ＯＲ条件は、マイタグカラムフィルター４６において、同一カテゴリ内で複数のタグが選択された場合のみ有効であり、カテゴリの異なる複数のタグが選択された場合は、選択された検索条件によらずＡＮＤ条件で検索を行う。
【００４４】
記憶部１５０は、タグ情報記憶部１５１およびコンテンツ情報記憶部１５２を含む。タグ情報記憶部１５１は、マイタグウィンドウ４４内のタグをカテゴリ別に記憶する。マイタグカラムフィルター４６は、タグ情報記憶部１５１に記憶されたタグ情報に基づいて表示される。また、コンテンツ情報記憶部１５２は、各楽曲のコンテンツ情報を記憶する。コンテンツ情報には、上記のとおりマイタグも含まれる。マイタグカラムフィルター４６で絞り込み検索を行った場合、このコンテンツ情報記憶部１５２内のマイタグが検索先となる。
【００４５】
以上説明したとおり、本実施形態のＰＣ１は、図２等に示したように、マイタグウィンドウ４４、トラックリスト表示部４５（マイタグコラム６４）およびマイタグカラムフィルター４６を含むＧＵＩを表示する。これにより、過去にどのようなコメントを付加したかを管理することができ、絞り込み検索を行おうとした場合に、適切なキーワードを入力することができる。
【００４６】
また、楽曲にタグを付加したい場合は、マイタグウィンドウ４４に表示されたタグを選択状態にするだけで良く、付加するたびにテキスト入力の必要がないため、タグを付加する手間を軽減できる。また、絞り込み検索を行う際も、マイタグカラムフィルター４６からタグを選択するだけで良いため、検索条件をテキスト入力する手間を省くことができる。
【００４７】
また、マイタグウィンドウ４４では、ユーザーが作成したオリジナルのタグを追加できるため、ＤＪ特有の観点での絞り込み検索を行うことができる。また、マイタグウィンドウ４４、トラックリスト表示部４５（マイタグコラム６４）およびマイタグカラムフィルター４６のタグ情報は同期されるため（タグの編集結果が他の領域にも反映されるため）、各領域におけるタグの編集の手間を軽減することができる。
【００４８】
なお、以下の変形例を採用可能である。
[変形例１]
図６のカテゴリ別領域５０ｄ，５０ｅに示すように、マイタグウィンドウ４４において、カラー選択または画像選択によるタグの作成を可能としても良い。つまり、タグとして、カラー（色）または画像（アイコン）を作成しても良い。また、これらカラー選択または画像選択可能なカテゴリ別領域５０ｄ，５０ｅを、初期状態において表示可能としても良い。つまり、ユーザーが、カラーまたは画像を示すタグを作成せずとも、予めマイタグウィンドウ４４に表示させておく構成でも良い。また、カラーやアイコンのタグを、追加、修正、削除可能としても良い。この構成によれば、ユーザーが、タグをテキスト入力する手間を省くことができる。また、トラックリスト表示部４５のマイタグコラム６４の表示から、視覚的に楽曲のイメージを掴むことができる。
【００４９】
[変形例２]
図７に示すように、マイタグカラムフィルター４６において、特定のカテゴリ内でＯＲ条件による検索を可能としても良い。この場合、カテゴリ別領域７０（７０ａ，７０ｂ，７０ｃ）ごとに、ＯＲ条件ボタン７５ａ，７５ｂ，７５ｃを配置する。例えば、同図の例のように、「カテゴリ１」内で「タグＡ」と「タグＢ」が選択された状態で、ＯＲ条件ボタン７５ａが選択された場合、「タグＡ」または「タグＢ」に該当する楽曲を抽出することができる。
【００５０】
[その他の変形例]
上記の実施形態では、仕込み用のＰＣとパフォーマンスに用いるＰＣを共通のＰＣ１として説明したが、異なるＰＣであっても良い。その場合、仕込み作業で作成したデータを、ＵＳＢデバイス等の記憶媒体に格納し、パフォーマンス用の機器に提供すれば良い。また、パフォーマンス時には、ＰＣ１とＤＪコントローラー２に代え、ＤＪプレーヤー（ＤＪ専用の再生機器）を用いても良い。この場合、ＤＪプレーヤーの表示画面に、図２に示したＧＵＩまたはその一部（マイタグウィンドウ４４、トラックリスト表示部４５およびマイタグカラムフィルター４６）を表示する。また、ＤＪプレーヤーのみならず、ＤＪミキサー（複数の楽曲のミキシング再生を行うＤＪ機器）の表示画面に、これらを表示しても良い。
【００５１】
また、上記の実施形態では、トラックリスト表示部４５で表示されたトラックリストを対象として絞り込み検索を行ったが、フォルダ表示部４３から、検索対象となる複数のフォルダを選択可能としても良い。
【００５２】
また、上記の実施形態では、マイタグウィンドウ４４で選択されたタグを、マイタグコラム６４だけでなく、ユーザーが任意に作成・付加したコメントにも反映可能と記載したが、その場合、マイタグコラム６４とコメントは、独立して編集可能としても良い。また、コメントの編集結果は、マイタグウィンドウ４４およびマイタグカラムフィルター４６に反映させず、マイタグウィンドウ４４およびマイタグカラムフィルター４６の編集結果も、コメントに反映させない構成としても良い。
【００５３】
また、上記の実施形態では、マイタグウィンドウ４４でタグが修正および削除された場合、そのタグを含むトラックリスト表示部４５内の全てのトラックに、その編集結果が反映されるとしたが、トラックリスト表示部４５内のトラックだけでなく、フォルダ表示部４３に表示可能な他のフォルダやプレイリストに反映させても良い。マイタグカラムフィルター４６でタグが編集された場合も同様である。
【００５４】
また、上記の実施形態では、マイタグウィンドウ４４で変更されたカテゴリ別領域５０およびタグの並び順が、マイタグコラム６４およびマイタグカラムフィルター４６に反映されるとしたが、マイタグコラム６４またはマイタグカラムフィルター４６でも、タグの並び順を変更可能とし、その変更結果を、マイタグウィンドウ４４を含む他の領域に反映させても良い。
【００５５】
また、上記の実施形態では、マイタグカラムフィルター４６において、同一カテゴリ内で複数のタグが選択された場合、選択された検索条件に応じて検索を行い、カテゴリの異なる複数のタグが選択された場合、選択された検索条件によらずＡＮＤ条件で検索を行うものとしたが、後者の場合、ＯＲ条件で検索を行う構成としても良い。逆に、同一カテゴリ内で複数のタグが選択された場合、選択された検索条件によらずＯＲ条件（またはＡＮＤ条件）で検索を行い、カテゴリの異なる複数のタグが選択された場合、選択された検索条件に応じて検索を行う構成としても良い。
【００５６】
また、上記に示したＤＪシステムＳＹ（ＰＣ１）の各構成要素をプログラムとして提供することが可能である。また、そのプログラムを各種記録媒体（ＣＤ−ＲＯＭ、フラッシュメモリー等）に格納して提供することも可能である。すなわち、コンピューターをＤＪシステムＳＹの各構成要素として機能させるためのプログラム、およびそれを記録した記録媒体も、本発明の権利範囲に含まれる。
【００５７】
また、上記の実施形態では、本発明のコンテンツ処理装置をＤＪシステムＳＹに適用した場合を例示したが、ＤＪ機器以外の再生機器（ＣＤ／ＤＶＤプレーヤー等）や各種電子機器に適用しても良い。また、コンテンツとして楽曲コンテンツを例示したが、映像コンテンツなど他のコンテンツを扱う電子機器に本発明を適用しても良い。その他、本発明の要旨を逸脱しない範囲で、適宜変更が可能である。
【符号の説明】
【００５８】
１：ＰＣ  ２：ＤＪコントローラー  ３：専用回線  ５：ＤＪ用アプリケーション  ２１：プレーヤー部  ２２：検索操作部  ２３：ジョグダイヤル  ２５：ＯＮ／ＯＦＦボタン  ２６：セレクトボタン  ２７：ロータリーエンコーダー  ４１：プレーヤー表示部  ４２：ブラウズ部  ４３：フォルダ表示部  ４４：マイタグウィンドウ  ４５：トラックリスト表示部  ４６：マイタグカラムフィルター  ５０：カテゴリ別領域  ５１：カテゴリ名領域  ５２：タグ領域  ５３：タグ追加ボタン  ６３：設定項目表示部  ６４：マイタグコラム  ７０：カテゴリ別領域  ７１：カテゴリ名領域  ７２：タグ領域  ７３：ＡＮＤ検索ボタン  ７４：ＯＲ検索ボタン  ７５：ＯＲ条件ボタン  ８１：キューボタン  ８２：再生／一時停止ボタン  ８３：第１プレーヤー表示領域  ８４：第２プレーヤー表示領域  １１０：表示制御部  １２０：表示部  １３０：操作部  １４０：検索部  １５０：記憶部  １５１：タグ情報記憶部  １５２：コンテンツ情報記憶部  ＳＹ：ＤＪシステム
【図１】
2015156084.tif 000003
【図２】
2015156084.tif 000004
【図３】
2015156084.tif 000005
【図４】
2015156084.tif 000006
【図５】
2015156084.tif 000007
【図６】
2015156084.tif 000008
【図７】
2015156084.tif 000009